(57)【要約】      （修正有）【課題】市販されている既製の印鑑は、皆同じ形態であるため、重要書類の届出印などに使用した場合、印鑑ごとの区別が難しく、後日、間違った印鑑を捺印してしまう恐れがあることを防ぐために、他のものと判別の容易なキャラクター印鑑とその収容ケースを提供する。【解決手段】キャラクター印影部１を表示したキャラクター印面２に、固有の氏名や名称を表す固有印影部を刻印表示した既製の複数個のキャラクター印鑑４を、外部から閲覧可能且つ取り出し可能に収容したキャラクター印鑑収容ケース５と、キャラクター印鑑４。【選択図】図１
0003194409.tif 000002
【実用新案登録請求の範囲】
【請求項１】
共通のマーク、図、文字、模様又はそれらの組み合わせからなるキャラクター印影部１を表示したキャラクター印面２に、固有の氏、名、名称又は愛称を表す文字、図形、模様又はそれらの組み合わせからなる固有印影部３を刻印表示した既製の複数個のキャラクター印鑑４を、印鑑収容ケース５に外部から閲覧可能且つ取り出し可能に収容したキャラクター印鑑収容ケース。
【請求項２】
印鑑収容ケース５の外観部に印鑑共通のキャラクター陰影部１を表示してなる請求項１に記載のキャラクター印鑑収容ケース。
【請求項３】
キャラクター印鑑４の取っ手部分６にキャラクター陰影部１を表示してなる請求項１又は２に記載のキャラクター印鑑収容ケース。
【請求項４】
キャラクター印鑑４の印面２が硬質な素材からなる請求項１、２又は３に記載のキャラクター印鑑収容ケース。
【請求項５】
請求項１、２、３又は４に記載のキャラクター印鑑収容ケース５に収容されるキャラクター印鑑。
【考案の詳細な説明】
【技術分野】
【０００１】
本考案は印面にキャラクターを施したキャラクター印鑑の展示・販売用の収容ケースとキャラクター印鑑に関する。
【背景技術】
【０００２】
印面に図形と文字を施した印鑑は特許文献１に記載のように知られている。また、印鑑の取っ手部分に絵柄を施した印鑑も特許文献２に記載のように知られている。
【先行技術文献】
【特許文献】
【０００３】
【特許文献１】特開２００８−１４３１５８
【特許文献２】特開２００５−６７０８３
【考案の概要】
【考案が解決しようとする課題】
【０００４】
従来、例えば、市販されている印鑑は、皆同じようで無味乾燥な感じがするため、委任状、契約書や役所や銀行などの重要書類の届出印などに使用した場合、印鑑ごとの区別が難しく、後日使用しようとするときに直ちに見つからなかったり、分からなくなり、違う印鑑を捺印してしまう恐れがあった。
【課題を解決するための手段】
【０００５】
そこで本考案は、実用新案登録請求の範囲の請求項１に記載の通り、共通のマーク、図、文字、模様又はその組み合わせからなるキャラクター印影部を表示したキャラクター印面に、固有の氏、名、名称又は愛称を表す文字、図形、模様又はその組み合わせからなる固有印影部を刻印表示した既製の複数個のキャラクター印鑑を、収容ケースに外部から閲覧可能且つ取り出し可能に収容したキャラクター印鑑収容ケースを提供しようとするものである。
【０００６】
また、本考案は、請求項２に記載のように、印鑑収容ケースの外観部に印鑑共通のキャラクター陰影部を表示してなる請求項１に記載のキャラクター印鑑収容ケースを提供しようとするものである。
【０００７】
また、本考案は、請求項３に記載のように、キャラクター印鑑の取っ手部分にキャラクター陰影部を表示してなる請求項１又は２に記載のキャラクター印鑑収容ケースを提供しようとするものである。
【０００８】
また、本考案は、請求項４に記載のように、キャラクター印鑑の印面が硬質な素材からなる請求項１、２又は３に記載のキャラクター印鑑収容ケースを提供しようとするものである。
【０００９】
また、本考案は、請求項５に記載のように、請求項１、２、３又は４に記載のキャラクター印鑑収容ケースに収容されるキャラクター印鑑を提供しようとするものである。
【考案の効果】
【００１０】
本考案に係わるキャラクター印鑑収容ケースによれば、実用新案登録請求の範囲の請求項１に記載の通り、共通のマーク、図、文字、模様又はそれらの組み合わせからなるキャラクター印影部を表示したキャラクター印面に、固有の氏、名、名称又は愛称を表す文字、図形、模様又はそれらの組み合わせからなる固有印影部を刻印表示した既製の複数個のキャラクター印鑑を、印鑑収容ケースに外部から閲覧可能且つ取り出し可能に収容した構成を有することにより、印鑑収容ケースから自分の気に入ったキャラクター印面に自分の固有の名前などが入ったキャラクター印鑑を容易に捜して手に入れることができるから、思い入れの深いキャラクターによって重要書類の届出印などの区別が容易にでき、後日使用しようとするときに、誤って違う印鑑を捺印してしまう恐れを無くすことが出来る効果がある。
【００１１】
また、本考案は、請求項２に記載のように、印鑑収容ケースの外観部に印鑑共通のキャラクター陰影部を表示してなる請求項１に記載のキャラクター印鑑収容ケースの構成を有することにより、印鑑収容ケースの外観部に表示されたキャラクター印影部を見て自分の気に入ったキャラクター印鑑を容易に捜し出すことが出来る効果がある。
【００１２】
また、本考案は、請求項３に記載のように、キャラクター印鑑の取っ手部分にキャラクター陰影部を表示してなる請求項１又は２に記載のキャラクター印鑑収容ケースの構成を有することにより、印鑑の取っ手部分に表示されたキャラクター印影部を見て自分の気に入ったキャラクター印鑑であることをを容易に確認して捜し出すことが出来る効果がある。
【００１３】
また、本考案は、請求項４に記載のように、キャラクター印鑑の印面が硬質な素材からなる請求項１、２又は３に記載のキャラクター印鑑収容ケースの構成を有するから、ゴム印とは違ってキャラクター印鑑を印鑑登録など公的に使用することが出来るなど、委任状、契約書や役所や銀行などの重要書類の届出印などに安心して使用することが出来る効果がある。
【００１４】
また、本考案は、請求項５に記載のように、請求項１、２、３又は４に記載のキャラクター印鑑収容ケースに収容される上記キャラクター印鑑を提供する効果がある。
【図面の簡単な説明】
【００１５】
【図１】本考案に係る印鑑収容ケースの一実施例の概略説明図。
【図２】本考案に係るキャラクター印鑑の一実施例の概略正面図。
【図３】本考案に係るキャラクター印鑑の一実施例の概略斜視図。
【考案を実施するための形態】
【００１６】
以下図示する実施例により本考案の実施の形態を説明する。
【実施例１】
【００１７】
図１において、５は本考案に係る印鑑収容ケースで、その天板部１０、側天板部１１又は側面部１２にはキャラクター印影部１が表示されて、印鑑収容ケース５に収容されているキャラクター印鑑４のキャラクター印影部１がケース５の外観から直観的に判るように構成してある。この実施例では印鑑収容ケース５の胴体部は四角柱状に形成されており、そのほぼ四角形をなす各側面には、本考案に係るキャラクター印鑑４を閲覧可能且つ取り出し可能に収容する多数の印鑑収容枠部１３が設けてある。
【００１８】
本考案に係るキャラクター印鑑４は、図２に記載の実施例において、印面２に、俳優、スポーツ選手、アニメーション映画や漫画などのキャラクターを表した共通のマーク、図、文字、模様又はそれらの組み合わせからなるキャラクター印影部１と、固有の姓、名前、名称又は愛称を表す文字、図形、模様又はその組み合わせからなる固有印影部３を設けてある。図２の実施例では、キャラクター印影部１と固有印影部３が離れた位置に個別に設けてあるが、両者が重なるように刻印された構成でもよい。７は印側である。
【００１９】
図３に記載の実施例の場合、キャラクター印鑑４の取っ手部６には、キャラクター陰影部１が表示してあり、印鑑４の取っ手部６に表示されたキャラクター印影部１を見て自分の気に入ったキャラクター印鑑であることをを容易に確認することができる。なお、キャラクター印影部１は取っ手部６の側面だけではなく、天面８に表示する構成にすることもできる。
【００２０】
その他、基台１４に対してその上部が回転する構造にするなど、印鑑収容ケース５の構造は、図示の形態に限らず、従来公知の種々の構造のものを採用することが可能である。
【符号の説明】
【００２１】
１      キャラクター印影部
２      キャラクター印面
３      固有印影部
４      キャラクター印鑑
５      印鑑収容ケース
６      取っ手部
７      印側
８      天面
１０    天板部
１１    側天板部
１２    側面部
１３    印鑑収容枠部
【図１】
0003194409.tif 000003
【図２】
0003194409.tif 000004
【図３】
0003194409.tif 000005